(57)【要約】【課題】雌部材と雄部材とが連結されているときに押圧している部位と押圧されている部位との間に液体が入り込むことを抑えた管継手を提供する。【解決手段】雌部材１０は、差込み口１２ａを有する雌側筒体１１と、差込み口１２ａに向かって付勢された雌側弁体２５と、雌側筒体１１に固定されて、押圧先端部１８を先端に有する雌側押圧部１５とを備える。雄部材４０は、雌側押圧部１５が挿通される雄側開口４７が形成され雌側弁体２５を押圧する雄側押圧部４６を有する雄側筒体４１と、雄側開口４７に向かって付勢された雄側弁体５３とを備えている。そして、雄側弁体５３には、雌部材１０と雄部材４０とが連結状態にあるときに押圧先端部１８を収容する凹部６０が形成されており、押圧先端部１８には、凹部６０に圧接して押圧先端部１８と雄側弁体５３との隙間をシールするＯリング１９が設けられている。【選択図】図１
2013002531.tif 000002
【特許請求の範囲】
【請求項１】
狭窄した筒開口である雄側開口を雄側筒端に有した雄側筒体内にて前記雄側開口に向けて付勢された雄側弁体を有した雄部材と、
前記雄側筒体の差し込み可能な差込み部を有した雌側筒体と、前記雌側筒体の軸方向に延びる柱状をなし前記雌側筒体内に配置され、前記差込み部とは反対側の端部で前記雌側筒体に固定された雌側押圧部と、前記雌側押圧部が内挿される筒開口である雌側開口を有し、前記雌側筒体と前記雌側押圧部との間の環状の隙間を前記差込み部にて塞ぐ筒状をなして前記差込み部に向けて付勢された雌側弁体と、を有した雌部材と、
を備え、
前記雄側筒体が前記差込み部に差し込まれた状態で、前記雌側押圧部が前記雄側開口を通じて前記雄側弁体を前記雄側筒体内に押し込み、且つ前記雄側筒端が前記差込み部を通じて前記雌側弁体を前記雌側筒内に押し込むことによって、前記雄側開口と前記雌側開口とを通して互いに連通する管継手において、
前記雌側押圧部及び前記雄側弁体の少なくとも１つには、前記雌側押圧部が前記雄側弁体を押圧している状態で前記雌側押圧部と前記雄側弁体とに圧接して、前記雌側押圧部と前記雄側弁体との隙間をシールする環状の第１シール部材が備えられていることを特徴とする管継手。
【請求項２】
前記雌側押圧部の先端及び前記雄側弁体の先端のいずれか一方には、前記雌側押圧部が前記雄側弁体を押圧している状態で、他方と嵌合する凹部が形成されている
請求項１に記載の管継手。
【請求項３】
前記雌側押圧部は、
前記差込み部側が閉じられて前記雌側筒体の軸方向に延び、前記雌部材の流路が内部に形成された管であり、前記管の周壁を貫通するとともに前記雌側筒体に前記雄側筒体が差し込まれた状態では前記雄側筒体内に配置される横穴である連通路を有し、
前記雄側筒端の内側面には、
前記雌側筒体に前記雄側筒体が差込まれた状態で、前記雄側筒端に貫挿された前記雌側押圧部の外側面と前記雄側筒端の内側面とに圧接して、前記雄側筒端と前記雌側弁体との隙間をシールする環状の第２シール部材が備えられている
請求項１または２に記載の管継手。
【請求項４】
前記第２シール部材は、
前記雄側弁体が前記雄側開口を塞いでいる状態で、前記雄側弁体の外側面と前記雄側筒端の内側面とに圧接して、前記雄側筒体の内部を前記雄側筒体の外部に対してシールする
請求項３に記載の管継手。
【請求項５】
前記雄部材は、
前記雄側弁体を摺動可能に案内するとともに、前記雌側押圧部の先端により前記雄側弁体が前記雄側筒体内に押し込まれた状態では、前記雄側弁体ともども前記雌側押圧部の先端が押し込まれている筒状の案内部を有し、
前記案内部の内側面には、
環状の第３シール部材が取付けられ、
前記第３シール部材は、
前記雌側押圧部の先端により前記雄側弁体が前記雄側筒体内に押し込まれた状態で、前記雄側弁体の外側面と前記雌側押圧部の外側面とに跨る位置に配置され、前記雄側弁体の外側面及び前記雌側押圧部の外側面と前記案内部の内側面とに圧接して、前記雄側弁体と前記雌側押圧部の先端との隙間をシールする
請求項４に記載の管継手。
【発明の詳細な説明】
【技術分野】
【０００１】
本発明は、雄部材と雌部材とから構成され、雌部材に雄部材が差し込まれることにより互いに連結されて液体が流通可能になる管継手に関する。
【背景技術】
【０００２】
従来から、例えば特許文献１に開示されている管継手が知られている。図４及び図５は、従来例の管継手を構成する雄部材の断面構造と雌部材の断面構造とを示した断面図であって、図４は雄部材と雌部材との連結が解除された解除状態を示し、図５は雄部材と雌部材とが連結された連結状態を示す。
【０００３】
図４に示されるように、管継手１００を構成する雄部材１１０の雄側筒体１１１は、軸線方向Ａに延びる略円筒形状に形成されている。この雄側筒体１１１において、軸線方向Ａにおける上側は、連結状態で雌部材１２０に差し込まれる部分である雄側押圧部１１１Ａであり、また、軸線方向Ａにおける下側は、配管部材ＭＰが取付けられる部分である雄側基部１１１Ｂである。
【０００４】
雄側筒体１１１の内側面１１２のうち、雄側押圧部１１１Ａ側には、雄側筒体１１１の内径が縮径された雄側弁座１１２Ａが形成されている。また、雄側筒体１１１の内側面１１２のうち、雄側基部１１１Ｂ側には、配管部材ＭＰの螺着される雌ねじ部１１２Ｂが形成されている。雄側筒体１１１の内部において、これら雄側弁座１１２Ａと雌ねじ部１１２Ｂとの間には、略円筒形状のスパイダー１１３が嵌め込まれている。スパイダー１１３は、図示しないスナップリングによって、雄側基部１１１Ｂ側への移動が制限されている。
【０００５】
スパイダー１１３の中心には、軸線方向Ａに延びる弁体通路１１３ａを有した筒状の案内スリーブ１１３ｂが突設され、また、スパイダー１１３において案内スリーブ１１３ｂの外側には、軸線方向Ａに延びる複数の流路１１３ｃが貫通している。このスパイダー１１３が有する案内スリーブ１１３ｂには、コマ状をなす雄側弁体１１４の軸部１１５が、軸線方向Ａに沿って摺動可能に挿通されている。軸部１１５の上端には、案内スリーブ１１３ｂの上方に配置された円錐台状の弁体先端部１１６が一体形成されている。この弁体先端部１１６の軸部１１５側である基端には、雄側弁座１１２Ａと密着することの可能な図示しない環状シールが取付けられている。そして、弁体先端部１１６とスパイダー１１３との間には、弁体先端部１１６を雄側弁座１１２Ａに向けて付勢する、すなわち環状シールを雄側弁座１１２Ａに向けて付勢する雄側ばね１１７が挟み込まれている。
【０００６】
一方、管継手１００を構成する雌部材１２０の雌側筒体１２１は、雄側筒体１１１と同じく軸線方向Ａに延びる略円筒形状をなし、雄側筒体１１１の外径よりも大きい内径を有している。この雌側筒体１２１において、軸線方向Ａにおける下側は、連結状態で雄部材１１０の差し込まれる部分である差込み部１２１Ａであり、また、軸線方向Ａにおける上側は、配管部材ＭＰが取付けられる部分である雌側基部１２１Ｂである。
【０００７】
雌側筒体１２１の内側面１２２のうち、差込み部１２１Ａ側には、雄側筒体１１１が差し込み可能及び引き出し可能な差込み口１２２Ａが形成されている。また、雌側筒体１２１の内側面１２２のうち、雌側基部１２１Ｂ側には、配管部材ＭＰの螺着される雌ねじ部１２２Ｂが形成されている。雌側筒体１２１の内部において、これら差込み口１２２Ａと雌ねじ部１２２Ｂとの間には、縮径された部分である支持部１２３が形成されている。
【０００８】
支持部１２３の中心には、軸線方向Ａに沿って延びる円柱状の雌側弁座１２４が固定されるとともに、支持部１２３において雌側弁座１２４の外側には、軸線方向Ａに延びる複数の流路１２３ｃが貫通している。雌側弁座１２４における軸線方向の両端のうち、差込み口１２２Ａ側の端には、上記弁体先端部１１６が嵌め込まれることの可能な逆椀状の受け部１２５が形成されている。また、雌側筒体１２１の内部には、受け部１２５をその全周にわたって囲う円筒状の雌側弁体１２６が、雌側筒体１２１の内周面に対して摺動可能に嵌め込まれている。雌側弁体１２６の内周面のうち、差込み部１２１Ａ側には、受け部１２５の外径よりも小さい内径からなる環状シール１２５ａが嵌め込まれている。そして、雌側弁体１２６と支持部１２３との間には、雌側弁体１２６を差込み口１２２Ａ側に付勢する、すなわち雌側弁体１２６の環状シール１２５ａを雌側弁座１２４の受け部１２５に向けて付勢するばね１２７が挟み込まれている。
【０００９】
そして、雄部材１１０が雌部材１２０の差込み口１２２Ａに差し込まれると、まず、雄側押圧部１１１Ａの端面と雌側弁体１２６の端面とが当接するとともに、雌側弁座１２４の受け部１２５に雄側弁体１１４の弁体先端部１１６が当接する。この状態から、雄部材１１０が雌部材１２０にさらに差し込まれると、図５に示されるように、雄側押圧部１１１Ａの端面から受ける力によって、雌側弁体１２６が雌側筒体１２１の雌ねじ部１２２Ｂ側に移動する。また、雌側弁座１２４の受け部１２５から受ける力によって、雄側弁体１１４が雄側筒体１１１の雌ねじ部１１２Ｂ側に移動する。これにより、雄部材１１０においては、雄側弁体１１４と雄側弁座１１２Ａとの間に通路が形成され、また、雌部材１２０においては、雌側弁体１２６と雌側弁座１２４との間に通路が形成される。その結果、これらの通路を通じて雄部材１１０と雌部材１２０との間で液体が流通することが可能になる。なお、これら雄部材１１０及び雌部材１２０には、外部へと液体が漏れないように各所にシール部材が設けられている。
【先行技術文献】
【特許文献】
【００１０】
【特許文献１】特表平１１−５０１７１５号公報
【発明の概要】
【発明が解決しようとする課題】
【００１１】
ところで、上述した構成の管継手１００においては、雄部材１１０と雌部材１２０とが連結状態であるとき、雄側弁体１１４の弁体先端部１１６が雌側弁座１２４の受け部１２５に嵌め込まれている。この際、弁体先端部１１６と受け部１２５との間には僅かな隙間が形成されているため、これらの周囲を流通している液体が上記隙間に入り込むこととなる。その結果、雄部材１１０と雌部材１２０との連結が解除されたときには、液体の付着した弁体先端部１１６の表面と、同じく液体の付着した受け部１２５の表面とが大気に曝されることとなる。
【００１２】
液体が付着している部分には、液体が付着していない部分よりも大気中を浮遊している異物が付着しやすく、また液体の乾燥後もその付着した異物が残渣として残ってしまう。そのため、異物が付着した状態のまま雄部材１１０と雌部材１２０とを再び連結すると、それら付着した異物が液体に混入してしまうばかりか、上記隙間を拡大させ当該隙間に液体が入り込みやすくなってしまう。
【００１３】
本発明は、上記実状を鑑みてなされたものであり、その目的は、雄部材と雌部材とで構成される管継手において、雄部材の表面及び雌部材の表面に液体が付着することを抑えることが可能な管継手を提供することにある。
【課題を解決するための手段】
【００１４】
請求項１に記載の発明は、狭窄した筒開口である雄側開口を雄側筒端に有した雄側筒体内にて前記雄側開口に向けて付勢された雄側弁体を有した雄部材と、前記雄側筒体の差し込み可能な差込み部を有した雌側筒体と、前記雌側筒体の軸方向に延びる柱状をなし前記雌側筒体内に配置され、前記差込み部とは反対側の端部で前記雌側筒体に固定された雌側押圧部と、前記雌側押圧部が内挿される筒開口である雌側開口を有し、前記雌側筒体と前記雌側押圧部との間の環状の隙間を前記差込み部にて塞ぐ筒状をなして前記差込み部に向けて付勢された雌側弁体と、を有した雌部材と、を備え、前記雄側筒体が前記差込み部に差し込まれた状態で、前記雌側押圧部が前記雄側開口を通じて前記雄側弁体を前記雄側筒体内に押し込み、且つ前記雄側筒端が前記差込み部を通じて前記雌側弁体を前記雌側筒内に押し込むことによって、前記雄側開口と前記雌側開口とを通して互いに連通する管継手において、前記雌側押圧部及び前記雄側弁体の少なくとも１つには、前記雌側押圧部が前記雄側弁体を押圧している状態で前記雌側押圧部と前記雄側弁体とに圧接して、前記雌側押圧部と前記雄側弁体との隙間をシールする環状の第１シール部材が備えられていることを要旨とする。
【００１５】
請求項１に記載の管継手によれば、雄部材の流路と雌部材の流路とが互いに連通する連結状態にあるとき、雌側押圧部と雄側弁体との隙間がシール部材によってシールされることから、流通している液体が当該隙間に入り込むことを抑えることができる。それゆえに、雌部材と雄部材との連結を解除したときに雌側押圧部の表面及び雄側弁体の表面に液体が付着していることを抑えることができる。
【００１６】
請求項２に記載の発明は、前記雌側押圧部の先端及び前記雄側弁体の先端のいずれか一方には、前記雌側押圧部が前記雄側弁体を押圧している状態で、他方と嵌合する凹部が形成されていることを要旨とする。
【００１７】
請求項２に記載の管継手によれば、雌側押圧部の先端及び雄側弁体の先端のいずれか一方が他方に形成された凹部に嵌合するため、雌側押圧部が雄側弁体を押圧する状態では、雌側押圧部の先端と雄側弁体の先端との位置の整合性を高めることが可能である。
【００１８】
請求項３に記載の発明は、前記雌側押圧部は、前記差込み部側が閉じられて前記雌側筒体の軸方向に延び、前記雌部材の流路が内部に形成された管であり、前記管の周壁を貫通するとともに前記雌側筒体に前記雄側筒体が差し込まれた状態では前記雄側筒体内に配置される横穴である連通路を有し、前記雄側筒端の内側面には、前記雌側筒体に前記雄側筒体が差込まれた状態で、前記雄側筒端に貫挿された前記雌側押圧部の外側面と前記雄側筒端の内側面とに圧接して、前記雄側筒端と前記雌側弁体との隙間をシールする環状の第２シール部材が備えられていることを要旨とする。
【００１９】
請求項３に記載の管継手によれば、雄部材と雌部材とが連結状態にあるとき、雄側筒端と雌側弁体との隙間が第２シール部材によってシールされる。そのため、雄部材と雌部材との間で流通する液体が、雄側筒端とそれに押圧される雌側弁体との隙間に入り込むことを抑えることができる。それゆえに、雌部材と雄部材との連結を解除したときに、雌側押圧部の表面及び雄側弁体の表面に加えて、雄側筒端の表面及び雌側弁体の表面に液体が付着していることを抑えることができる。
【００２０】
請求項４に記載の発明は、前記第２シール部材は、前記雄側弁体が前記雄側開口を塞いでいる状態で、前記雄側弁体の外側面と前記雄側筒端の内側面とに圧接して、前記雄側筒体の内部を前記雄側筒体の外部に対してシールすることを要旨とする。
【００２１】
雄部材と雌部材とが非連結状態にあるときには、その雄部材に対し、雄側筒体内の液体が外部に漏れ出すことを抑える機能が求められる。請求項４に記載の管継手によれば、こうした非連結状態にて、第２シール部材が雄側弁体の外側面と雄側開口の内側面とに圧接する。その結果、非連結状態において、雄部筒体内に滞留している液体が外部に漏れだすことが、上述した第２シール部材で抑えることができる。すなわち、連結状態では雄側筒端の表面及び雌側弁体の表面に液体が付着することを抑える第２シール部材が、非連結状態では雄部材に求められる漏洩の抑制機能を発現することにもなる。それゆえに、雌側弁体の表面及び雄側押圧部の表面への液体の付着を抑えるうえで、雄部材を構成する部品点数が増加することを抑えることができる。
【００２２】
請求項５に記載の発明は、前記雄部材は、前記雄側弁体を摺動可能に案内するとともに、前記雌側押圧部の先端により前記雄側弁体が前記雄側筒体内に押し込まれた状態では、前記雄側弁体ともども前記雌側押圧部の先端が押し込まれている筒状の案内部を有し、前記案内部の内側面には、環状の第３シール部材が取付けられ、前記第３シール部材は、前記雌側押圧部の先端により前記雄側弁体が前記雄側筒体内に押し込まれた状態で、前記雄側弁体の外側面と前記雌側押圧部の外側面とに跨る位置に配置され、前記雄側弁体の外側面及び前記雌側押圧部の外側面と前記案内部の内側面とに圧接して、前記雄側弁体と前記雌側押圧部の先端との隙間をシールすることを要旨とする。
【００２３】
請求項５に記載の管継手によれば、雌部材と雄部材とが連結状態にあるとき、雄側弁体と雌側押圧部の先端との隙間が案内部に取付けられた第３シール部材によってシールされる。その結果、流通している液体が雄側弁体と雌側押圧部の先端との隙間に入り込むことを各々の外側面にて抑えることができる。それゆえに、雌部材と雄部材との連結を解除したときに雌側押圧部及び雄側弁体に液体が付着していることをさらに抑えることができる。
【図面の簡単な説明】
【００２４】
【図１】本発明の一実施の形態に係る管継手を構成する雄部材及び雌部材の断面構造を示す断面図であって、非連結状態における雄部材及び雌部材の断面構造を示す図。
【図２】連結開始時における雄部材及び雌部材の断面構造を示す断面図。
【図３】連結状態における雄部材及び雌部材の断面構造を示す断面図。
【図４】従来例における管継手を構成する雄部材及び雌部材の断面構造を示した断面図であって、非連結状態における断面構造を示した図。
【図５】従来例における管継手を構成する雄部材及び雌部材の断面構造を示した断面図であって、連結状態における断面構造を示した図。
【発明を実施するための形態】
【００２５】
以下、本発明に係る管継手の一実施の形態について図１〜図３を参照して説明する。まず、管継手を構成する雌部材について図１を参照して説明する。
（雌部材）
図１に示されるように、管継手１を構成する雌部材１０は、両端が開口した多段の円筒形状をなして軸線方向Ａに沿って延びる雌側筒体１１を有している。雌側筒体１１における一方の筒端である下端には、雄部材４０が差し込まれるとともに当該雄部材４０を差し込みやすくするように外側に拡開された雌側開口である差込み口１２ａが形成されている。一方、雌側筒体１１における他方の筒端である封止口１２ｂには、図示しないガスケットを介して、弁押体１３が固定されている。
【００２６】
弁押体１３は、雌側筒体１１の上端を覆うように雌側筒体１１の該上端に連結される円環状の鍔部１４を有している。鍔部１４の中心には、軸線方向Ａに沿って差込み口１２ａ側に延びる円筒形状の雌側押圧部１５が鍔部１４と一体的に形成され、また軸線方向Ａに沿って上側に延びる円筒形状の雌側接続部１６がこれもまた鍔部１４と一体的に形成されている。雌側接続部１６は、その状態が外部の配管に接続される部位であり、これら雌側押圧部１５及び雌側接続部１６は、上下方向に連続する一つの流路１７を形成している。
【００２７】
雌側押圧部１５の先端部には、軸線方向Ａに延びる多段の有蓋円筒状をなす押圧先端部１８が形成されている。押圧先端部１８の外周面における軸線方向Ａの途中には、押圧先端部１８の全周にわたる溝が形成され、第１シール部材であるＯリング１９が該溝内に装着されている。また、雌側押圧部１５には、上記Ｏリング１９の上側に、雌側押圧部１５の外径と押圧先端部１８の外径との違いに基づく段差部２０が形成されている。また、雌側押圧部１５の周壁のうち押圧先端部１８寄りの部位には、雌部材１０の流路１７と雌側押圧部１５の外部とを連通する連通路２１が貫通している。
【００２８】
雌側筒体１１の内部には、雌側筒体１１と同心の円筒形状をなす雌側弁体２５が内挿されている。また、雌側弁体２５における筒内には、上述した雌側押圧部１５が挿通されている。
【００２９】
雌側弁体２５の外周面のうち、雌側筒体１１の封止口１２ｂ側の部位には、雌側弁体２５の周方向の全体にわたる突溝である外側シール溝２６が形成されている。この外側シール溝２６は、雌側筒体１１の内径と略同じ外径を有している。また、雌側弁体２５の内周面のうち、雌側筒体１１の封止口１２ｂ側には、これもまた雌側弁体２５の周方向の全体にわたる突溝である内側シール溝２７が出形成されている。さらにまた、雌側弁体２５の内周面のうち、雌側筒体１１の差込み口１２ａ側には、これもまた雌側弁体２５の周方向の全体にわたる突溝である内側シール溝２８が出形成されている。これら上下一対の内側シール溝２７，２８は、雌側押圧部１５の外径と同じ内径を有しており、内側シール溝２８は、その内側面によって雌側開口２９を形成している。そして、雌側弁体２５は、雌側筒体１１内の空間のうち弁押体１３と雌側弁体２５とによって画定される空間３０の容積を増減させながら軸線方向Ａに変位する。
【００３０】
また、外側シール溝２６の溝内には、雌側筒体１１の内側面１１ａに圧接する環状のシール部材３１が装着されている。また、内側シール溝２７，２８の溝内には、雌側押圧部１５の外側面に圧接する環状のシール部材３２，３３がそれぞれ装着されている。雌側弁体２５の外側シール溝２６及び内側シール溝２７に装着されたシール部材３１，３２は、それぞれ雌側筒体１１の内側面１１ａ及び雌側押圧部１５の外側面１５ａに圧接して上記空間３０を密閉する。また、内側シール溝２８に装着されたシール部材３３は、雌側押圧部１５の外側面１５ａに圧接する。
【００３１】
そして、上述した連通路２１が軸線方向Ａにおいて内側シール溝２７と内側シール溝２８との間にあるときは、上述したシール部材３３のシール機能により、流路１７に収容された液体が雌側弁体２５内から漏れ出すことがない。これに対して、連通路２１が軸線方向Ａにおいて内側シール溝２８よりも下側にあるとき、流路１７に収容された液体が連通路２１を介して雌側弁体２５の外側に流れることとなる。
【００３２】
雌側筒体１１の内部のうち、弁押体１３と雌側弁体２５とで挟まれる空間３０内には、弁押体１３の鍔部１４に一端が支持されたコイルばね３５が収容されている。このコイルばね３５は、雌側弁体２５を軸線方向Ａに沿って差込み口１２ａに向けて付勢している。また、雌側筒体１１の内周面のうち、軸線方向Ａにおける略中央には、雌側筒体１１の周方向の全体にわたり係止部３６が突設されている。この係止部３６は、雌側弁体２５の外側シール溝２６と係合することにより、雌側弁体２５の差込み口１２ａ側への変位を規制する。なお、係止部３６によって雌側弁体２５が係止された状態で、該雌側弁体２５の差込み口１２ａ側の端面である被押圧面２５ａから雌側押圧部１５の押圧先端部１８が突出するように、係止部３６は形成されている。
【００３３】
本実施形態では、雌側筒体１１において、差込み口１２ａからこの係止部３６までの部位が差込み部に相当する。また、雌側弁体２５が取り得る位置のうち、雌側弁体２５の外側シール溝２６が上記係止部３６と係合する位置を閉弁位置という。また、雌側弁体２５が取り得る位置のうち、雌側弁体２５の被押圧面２５ａが連通路２１よりも封止口１２ｂ側に配置される位置を開弁位置という。
【００３４】
（雄部材）
雄部材４０は、両端が開口した略円筒形状をなして軸線方向Ａに沿って延びる雄側筒体４１を有している。雄側筒体４１は、その外側面４１ａが雌側筒体１１の内側面１１ａを摺動可能なかたちに形成されており、その内部には流路４２が形成されている。また、雄側筒体４１には、該雄側筒体４１よりも小さな径で形成された円筒形状をなして図示しない外部の配管が接続される雄側接続部４３と、雄側筒体４１と雄側接続部４３とを連結する縮径部４４とが一体形成されている。
【００３５】
雄側筒体４１における一方の筒端には、狭窄された筒開口を有する円環状の雄側押圧部４６が一体形成されている。雄側押圧部４６における上側の端面には、雌側弁体２５の被押圧面２５ａと相似形である押圧面４６ａが形成されている。そして、雄部材４０が雌部材１０に差し込まれると、雄側押圧部４６の端面である押圧面４６ａが雌側弁体２５の被押圧面２５ａを押圧する。さらに、この押圧面４６ａが雌側筒体１１の係止部３６と係合することによって、雌部材１０への雄部材４０の差し込みが規制される。
【００３６】
雄側押圧部４６には、雌側押圧部１５の外径と略同じ内径を有し雄側筒体４１の内径に対して狭窄された雄側開口４７が軸線方向Ａに沿って貫通している。また、雄側押圧部４６側の外側面４１ａには、該外側面４１ａの周方向の全体にわたる環状の溝部が形成され、また雄側開口４７の内側面にも、該内側面の周方向の全体にわたる環状の溝部が形成されている。これら雄側押圧部４６に形成された２つの溝部には、それぞれ環状の外側シール部材４８と、第２シール部材である同じく環状の内側シール部材４９とが装着されている。
【００３７】
雄側筒体４１の内部には、軸線方向Ａに沿って延びる支持部５１が縮径部４４の内周面に連結され、また支持部５１の上端には、軸線方向Ａに延びる有底筒状のケース体５２が連結されている。ケース体５２の先端部には、狭窄された開口を有する円環状の案内部５５が形成されている。案内部５５の内側面には、案内部５５の周方向の全体にわたる環状の凸溝が形成され、該凸溝の内部には、断面Ｕ字型に形成された第３シール部材である環状のシール部材６３が装着されている。そして、シール部材６３の内部には、案内部５５の内径と略同じ外径を有して軸線方向Ａに沿って延びる有蓋円筒形状の雄側弁体５３が、同じく軸線方向Ａに沿って摺動可能に内挿されている。
【００３８】
雄側弁体５３の頂面５３ｂには、雌側押圧部１５の押圧先端部１８が嵌合可能な凹部６０が凹設されている。凹部６０の内径は、押圧先端部１８の外径よりも若干大きく、押圧先端部１８が凹部６０にて軸線方向Ａに摺動可能な大きさである。また、凹部６０の深さは、押圧先端部１８における軸線方向Ａの長さと略等しく、押圧先端部１８が凹部６０に収容された状態で、凹部６０の底面６０ａと押圧先端部１８の押圧面１８ａとが当接し、且つ雄側弁体５３の頂面５３ｂと雌側押圧部１５の段差部２０とが当接する大きさである。
【００３９】
雄側弁体５３の外側面５３ａにおける下端には、雄側弁体５３における周方向の全体にわたり径方向の外側に突出する係止片５７が形成されている。また、ケース体５２の内部のうち、ケース体５２内の底部と凹部６０の底部との間には、ケース体５２に支持されたコイルばね５６が収容されている。コイルばね５６の付勢は、該コイルばね５６が自然長にある状態で、雄側弁体５３の頂面５３ｂと雄側押圧部４６の押圧面４６ａとが面一になるように設定されている。そして、雄側弁体５３は、雄側筒体４１内の空間のうち、雄側弁体５３とケース体５２とによって画定される空間６５の容積を増減させながら軸線方向Ａに変位する。なお、コイルばね５６の急激な付勢による雄側開口４７側への雄側弁体５３の変位は、雄側弁体５３の係止片５７が案内部５５に当接することにより規制される。
【００４０】
本実施形態では、雄側弁体５３が取り得る位置のうち、コイルばね５６が自然長である雄側弁体５３の位置を閉弁位置という。一方、雄側弁体５３が取り得る位置のうち、雄側弁体５３の頂面５３ｂが雄側筒体４１の内部にある位置であって、且つ雄側弁体５３の頂面５３ｂが案内部５５の凸溝内にある位置を開弁位置という。
【００４１】
なお、雄側押圧部４６に装着された内側シール部材４９は、閉弁位置に配置されている雄側弁体５３の外側面５３ａに圧接する。これにより、雄側弁体５３が閉弁位置に配置される状態において、雄側押圧部４６と雄側弁体５３との隙間から流路４２に異物が混入すること、流路４２に滞留している液体が当該隙間から外部に漏れ出すことを抑えることができる。
【００４２】
（作用）
次に、上述した構成の管継手１の作用のうち、雌部材１０に雄部材４０が差込まれるときの作用について、図２及び図３を参照しながら説明する。
【００４３】
まず、図２に示されるように、雌部材１０の差込み口１２ａと雄部材４０の雄側押圧部４６とが軸線方向Ａで対向するように配置される。そして、差込み口１２ａを通じて雌部材１０に雄部材４０が差し込まれると、雄側筒体４１の雄側筒体４１が雌側筒体１１の内側面１１ａを摺動して雄側押圧部４６の押圧面４６ａと雌側弁体２５の被押圧面２５ａとが当接する。また、雌側押圧部１５の押圧先端部１８が雄側弁体５３の凹部６０に収容されて、押圧先端部１８の押圧面１８ａと凹部６０の底面６０ａとが当接するとともに、雌側押圧部１５の段差部２０と凹部６０の側壁６１とが当接する。この際、押圧先端部１８に装着されたＯリング１９は、押圧先端部１８と凹部６０の側壁６１とに圧接して押圧先端部１８の押圧面１８ａと凹部６０の底面６０ａとの隙間をシールする。
【００４４】
この状態から雄部材４０がさらに差し込まれると、雄側押圧部４６は、コイルばね３５の付勢力に抗して雌側弁体２５を押圧し、雌側開口２９内で雌側押圧部１５を摺動させながら、閉弁位置にある雌側弁体２５を雌側筒体１１の封止口１２ｂ側に向かって変位させる。また、雌側押圧部１５は、コイルばね５６の付勢力に抗して雄側弁体５３を押圧し、雄側押圧部４６に形成された雄側開口４７内で雌側押圧部１５を摺動させながら、また案内部５５に雄側弁体５３を摺動させながら、閉弁位置にある雄側弁体５３をケース体５２の底部に向かって変位させる。
【００４５】
そして、図３に示されるように、雄側押圧部４６と雌側筒体１１の内側面１１ａに突設された係止部３６とが係合する位置まで雄部材４０が差し込まれると、雌側弁体２５及び雄側弁体５３がともに開弁位置に配置されて雌部材１０と雄部材４０とが連結状態となる。この際、雌側押圧部１５に形成された連通路２１は、雌側開口２９及び雄側開口４７を通じて雄側筒体４１の内部に配置される。これにより、雌部材１０の流路１７は、連通路２１を通じて雄部材４０の流路４２と互いに連通し、例えば図３に矢印で示すように液体の流通が可能となる。
【００４６】
雌部材１０と雄部材４０とが連結状態であるとき、案内部に装着されたシール部材６３は、凹部６０の側壁６１と雌側押圧部１５の段差部２０とに跨るように配置されるとともに、これらに圧接して凹部６０の側壁６１と雌側押圧部１５の段差部２０との隙間をシールする。すなわち、流通している液体が凹部６０の側壁６１と雌側押圧部１５の段差部２０との隙間に入り込むこと、ケース体５２の内部に入り込むこと、それらを抑えることができる。また、押圧先端部１８の押圧面１８ａと凹部６０の底面６０ａとの隙間に液体が入り込むことを抑えることもできる。
【００４７】
また、雄側押圧部４６の雄側開口４７に装着された内側シール部材４９は、雌側押圧部１５に圧接して雌側弁体２５の被押圧面２５ａと雄側押圧部４６の押圧面４６ａとの間をシールする。これにより、流通している液体が、雌側弁体２５の被押圧面２５ａと雄側押圧部４６の押圧面４６ａとの隙間に入り込むことを抑えることができる。
【００４８】
また、雄側押圧部４６の外側に装着されている外側シール部材４８は、雌部材１０に雄部材４０が差し込まれている期間、雌側筒体１１の内側面１１ａに圧接して、雄側押圧部４６の押圧面４６ａと雄側筒体４１の外側面４１ａとの間をシールする。これにより、たとえ雌側弁体２５の被押圧面２５ａと雄側押圧部４６の押圧面４６ａとの隙間に液体が入り込んでしまっても、その液体が雌側筒体１１と雄側筒体４１の雄側筒体４１との隙間を通じて外部に漏れ出すことを抑えることができる。
【００４９】
一方、雌部材１０と雄部材４０との連結を解除する際には、雌部材１０から雄部材４０を引き抜く。この際、雌側弁体２５は、コイルばね３５の付勢力によって、雌側筒体１１の内側面１１ａ及び雌側押圧部１５の外側面１５ａを摺動しながら閉弁位置へと変位する。また、雄側弁体５３は、コイルばね５６の付勢力によって、凹部６０に押圧先端部１８を収容したまま雄側押圧部４６の雄側開口４７を摺動して閉弁位置へと変位する。ここで、雄側弁体５３が閉弁位置に変位する際、弁押体１３の雌側押圧部１５が雄側押圧部４６の雄側開口４７内を摺動するため、雌側押圧部１５に形成された連通路２１が雌側弁体２５の被押圧面２５ａと雄側押圧部４６の押圧面４６ａとの当接部分を通過することになる。しかしながら、その通過時間は僅かな時間である。そのため、連通路２１を通じて雌側弁体２５の被押圧面２５ａと雄側押圧部４６の押圧面４６ａとの隙間に液体が入り込んでしまったとしても、その量は、内側シール部材４９が設けられていない構成の雄部材４０と雌部材１０とが連結状態にあるときに比べれば非常に少ない量である。
【００５０】
以上説明したように、本実施の形態に係る管継手１によれば、以下列記するような効果が得られるようになる。
（１）雄側弁体５３には、雄側弁体５３を押圧する押圧先端部１８を収容する凹部６０が凹設されている。また、その押圧先端部１８には、凹部６０に収容されることによって凹部６０の側壁６１に圧接するＯリング１９が装着されている。こうした構成によれば、雌部材１０と雄部材４０とが連結状態にあるとき、流通している液体が押圧先端部１８の押圧面１８ａと凹部６０の底面６０ａとの隙間に入り込むことを抑えることができる。それゆえ、雌部材１０と雄部材４０との連結が解除されたときに、押圧先端部１８の押圧面１８ａ及び凹部６０の底面６０ａに液体が付着していることを抑えることができる。
【００５１】
（２）また、凹部６０に押圧先端部１８が収容されることによって、押圧先端部１８の押圧面１８ａと凹部６０の底面６０ａとの隙間がＯリング１９によってシールされる。こうした構成によれば、押圧先端部１８が凹部６０に嵌め込まれることによって、凹部６０の側壁６１の位置とＯリング１９の位置とが整合することになる。それゆえに、雌部材１０と雄部材４０とが連結する際の初動において、側壁６１とＯリング１９との位置合わせが間接的に行われることとなる。その結果、側壁６１とＯリング１９との位置合わせを別途行うことが不要であることから、雄部材４０の抜き差しを容易に行うことができる。
【００５２】
（３）弁押体１３の雌側押圧部１５は、雄側開口４７内を摺動可能に形成されている。また、その雄側開口４７には、雌側押圧部１５の外側面１５ａに圧接する内側シール部材４９が装着されている。こうした構成によれば、雌部材１０と雄部材４０とが連結状態にあるとき、流通している液体が雌側弁体２５の被押圧面２５ａと雄側押圧部４６の押圧面４６ａとの隙間に液体が入り込むことを抑えることができる。それゆえ、雌部材１０と雄部材４０との連結が解除されたときに、雌側弁体２５の被押圧面２５ａ及び雄側押圧部４６の押圧面４６ａに液体が付着していることを抑えることができる。
【００５３】
（４）雄側弁体５３の外径が雌側押圧部１５の外径と略等しいことから、内側シール部材４９は、雄側弁体５３が閉弁位置にあるときには雄側弁体５３に圧接し、雄側弁体５３が開弁位置にあるときには弁押体１３の雌側押圧部１５に圧接する。
【００５４】
こうした構成によれば、雌部材１０と雄部材４０とが非連結状態にあるとき、雄側押圧部４６と雄側弁体５３との隙間から流路４２に異物が混入すること、雄部材４０の流路４２に満たされた液体が当該隙間から外部に漏れ出すことを抑えることができる。すなわち、内側シール部材４９が、雌部材１０と雄部材４０とが連結状態にあるときと非連結状態にあるときとで異なる機能を果たすため、雄側押圧部４６及び雌側弁体２５への液体の付着を抑えるうえで、雄部材４０を構成する部材点数が増加することを抑えることができる。
【００５５】
（５）案内部５５には、雌部材１０と雄部材４０とが連結状態にあるときに、凹部６０の側壁６１と雌側押圧部１５の段差部２０とに跨るシール部材６３が装着されている。こうした構成によれば、雌部材１０と雄部材４０とが連結状態にあるとき、流通している液体が凹部６０の側壁６１と雌側押圧部１５の段差部２０との隙間に入り込むことを抑えることができる。それゆえ、雌部材１０と雄部材４０との連結を解除したときに、雌側押圧部１５の段差部２０及び雄側弁体５３の頂面５３ｂに液体が付着していることを抑えることができる。
【００５６】
（６）また、押圧先端部１８の押圧面１８ａと凹部６０の底面６０ａとの隙間に液体が入り込むことをさらに抑えることができる。
（７）さらに、シール部材６３は、雌部材１０と雄部材４０とが非連結状態にあるときには、雄側弁体５３の外側面５３ａに圧接する。これにより、雄部材４０の流路４２にある液体がケース体５２内に形成された空間６５に入り込むことを抑えることができる。この空間６５は、雄側弁体５３が変位する際にその容積が増減する空間であって、雄部材４０の組み立て完了時には空気で満たされている。すなわち、上記シール部材６３によって空間６５に液体が入り込むことが抑えられることによって、雄側弁体５３は、主に圧縮性を有する空気で満たされた空間６５の容積を増減させながら変位することになる。その結果、空間６５が非圧縮性の液体で満たされている場合に比べて、雌部材１０と雄部材４０とを連結する際、あるいは雌部材１０と雄部材４０との連結を解除する際に必要な力を低減することができる。
【００５７】
（８）雌側弁体２５は、雌側筒体１１と弁押体１３と雌側弁体２５とによって画定されてシール部材３１，３２によって密閉された空間３０の容積を増減させながら変位する。
こうした構成によれば、上記（７）と同様に、空間３０に液体が入り込むことが雌部材１０と雄部材４０とを連結する際、あるいは雌部材１０と雄部材４０との連結を解除する際に必要な力を低減することができる。
【００５８】
なお、上記実施の形態は、以下のような態様をもって実施することもできる。
・シール部材６３が割愛されてもよい。こうした構成であっても、上記（１）〜（３）に記載した効果に準ずる効果を得ることができる。
【００５９】
・雄側弁体５３の外径が雌側押圧部１５の外径と等しい径で形成されていることから、雌部材１０と雄部材４０とが連結状態にあるときには、内側シール部材４９が雌側押圧部１５の外側面１５ａに圧接する。また、雌部材１０と雄部材４０とが非連結状態にあるときには、その内側シール部材４９が雄側弁体５３の外側面５３ａに圧接する。
【００６０】
これに限らず、押圧先端部１８が割愛されて雌側押圧部１５が雄側弁体５３を押圧する構成のように、雄側弁体５３の外径が雌側押圧部１５の外径より大きい構成であってもよい。この際、雄側押圧部４６には、押圧面４６ａ側で縮径された多段状の雄側開口部が形成されるとともに、多段状の雄側開口部における小径部には、弁押体１３の雌側押圧部１５に圧接するシール部材が装着され、且つ当該雄側開口部における大径部に雄側弁体５３に圧接するシール部材が装着される。
【００６１】
こうした構成であれば、非連結状態において雄側押圧部４６と雄側弁体５３との隙間から流路４２に異物が混入すること、雄部材４０の流路４２に満たされた液体が当該隙間から外部に漏れ出すことを抑えたうえで、上記（１）（２）に記載した効果に準ずる効果を得ることができる。
【００６２】
・雄側開口４７は、雌側押圧部１５の外径と押圧先端部１８の外径との違いに関わらず、これら雌側押圧部１５と押圧先端部１８とが挿通可能な大きさを有していればよい。その際、雌側押圧部１５が雄側開口４７にて摺動しない場合には、雌側弁体２５の被押圧面２５ａと雄側押圧部４６の押圧面４６ａとの隙間をシールすることが困難であるものの、上記（１）に記載した効果に準ずる効果を得ることができる。
【００６３】
・雌部材１０の流路１７は、雌側接続部１６に連通していればよく、弁押体１３の内部に限らず、従来例のように弁押体１３の周りに形成されてもよい。こうした構成であっても、上記（１）に記載した効果に準ずる効果を得ることができる。
【００６４】
・雄側弁体５３の外径と略等しい内径を有した凹部が押圧先端部１８に形成されるとともに、雄部材４０が雌部材１０に差し込まれる際に、押圧先端部１８の凹部に雄側弁体５３が嵌め込まれる構成であってもよい。この際、押圧先端部１８の外径は、雌側押圧部１５の外径と同じであってもよいし互いに異なる大きさであってもよい。こうした構成であっても上記（１）に記載した効果に準ずる効果を得ることができる。
【００６５】
・Ｏリング１９の装着される位置は、押圧先端部１８の押圧面１８ａと凹部６０の底面６０ａとの隙間がシールされる構成であれば、雄側弁体５３の凹部６０であってもよい。
・雌側弁体２５において、外側シール溝２６に装着されたシール部材３１と内側シール溝２７に装着されたシール部材３２との少なくとも一方が割愛されてもよい。こうした構成であっても、上記（１）〜（４）に記載した効果に準ずる効果を得ることができる。
【００６６】
・有底円筒形状のケース体５２は、支持部５１によって雄側筒体４１に対して固定されて、その底部でコイルばね５６の一端を支持するとともに、その先端部に案内部５５が形成されている。これに限らず、例えば、コイルばね５６の一端を支持する支持部を支持部５１で固定するとともに雄側筒体４１に固設された連結部材に案内部５５を連結することによってケース体５２が割愛されるような構成であってもよい。
【符号の説明】
【００６７】
Ａ…軸線方向、ＭＰ…配管部材、１…管継手、１０…雌部材、１１…雌側筒体、１１ａ…内側面、１２ａ…差込み口、１２ｂ…封止口、１３…弁押体、１４…鍔部、１５…雌側押圧部、１５ａ…外側面、１６…雌側接続部、１７…流路、１８…押圧先端部、１８ａ…押圧面、１９…Ｏリング、２０…段差部、２１…連通路、２５…雌側弁体、２５ａ…被押圧面、２６…外側シール溝、２７…内側シール溝、２８…内側シール溝、２９…雌側開口、３０…空間、３１，３２，３３…シール部材、３５…コイルばね、３６…係止部、４０…雄部材、４１…雄側筒体、４１ａ…外側面、４２…流路、４３…雄側接続部、４４…縮径部、４６…雄側押圧部、４６ａ…押圧面、４７…雄側開口、４８…外側シール部材、４９…内側シール部材、５１…支持部、５２…ケース体、５３…雄側弁体、５３ａ…外側面、５３ｂ…頂面、５５…案内部、５６…コイルばね、５７…係止片、６０…凹部、６０ａ…底面、６１…側壁、６３…シール部材、６５…空間、１００…管継手、１１０…雄部材、１１１…雄側筒体、１１１Ａ…雄側押圧部、１１１Ｂ…雄側基部、１１２…内側面、１１２Ａ…雄側弁座、１１２Ｂ…雌ねじ部、１１３…スパイダー、１１３ａ…弁体通路、１１３ｂ…案内スリーブ、１１３ｃ…流路、１１４…雄側弁体、１１５…軸部、１１６…弁体先端部、１１７…雄側ばね、１２０…雌部材、１２１…雌側筒体、１２１Ａ…差込み部、１２１Ｂ…雌側基部、１２２…内側面、１２２Ａ…差込み口、１２２Ｂ…雌ねじ部、１２３…支持部、１２３ｃ…流路、１２４…雌側弁座、１２５…受け部、１２５ａ…環状シール、１２６…雌側弁体、１２７…ばね。
【図１】
2013002531.tif 000003
【図２】
2013002531.tif 000004
【図３】
2013002531.tif 000005
【図４】
2013002531.tif 000006
【図５】
2013002531.tif 000007